(57)【要約】【課題】光ディスクユニットが使用されていない間の待機電力を削減できるテレビジョン装置を提供する。【解決手段】テレビジョン装置１において、待機電力の供給の停止指示を受け付ける映像表示部３ｆと、光ディスクユニット２へ電力を供給する光ディスクユニット用電源部２ａと、映像表示部３ｆが受け付けた停止指示に対応する制御信号を光ディスクユニット用電源部２ａに与えるテレビユニット制御部３ｂとを備える。光ディスクユニット用電源部２ａは、制御信号に従って光ディスクユニット２への待機電力の供給を停止するように制御される。【選択図】図１
2011239238.tif 000002
【特許請求の範囲】
【請求項１】
光ディスクドライブを有する光ディスクユニット及びテレビジョンが同一の筐体内に配置されたテレビジョン装置において、
使用に備えて待機している間に消費される待機電力を供給する電力供給手段と、
該待機電力の供給の停止指示を受け付ける受け付け手段と、
該受け付け手段が受け付けた停止指示に対応する制御信号を与える制御手段と
を備え、
前記電力供給手段は、前記制御手段から前記制御信号が与えられた場合、前記光ディスクユニットへの待機電力の供給を停止することを特徴とするテレビジョン装置。
【請求項２】
前記受け付け手段は、前記テレビジョンが表示する電源管理に係わる設定画面を用いて前記停止指示を受け付けるようにしてあることを特徴とする請求項１記載のテレビジョン装置。
【請求項３】
前記制御手段は、前記受け付け手段が待機電力の供給の停止指示を受け付けた場合、前記光ディスクドライブに光ディスクが装填されているか否かを判定し、前記光ディスクドライブに光ディスクが装填されていると判定した場合、前記光ディスクドライブから該光ディスクを排出させるようにしてあることを特徴とする請求項１又は２記載のテレビジョン装置。
【請求項４】
前記制御手段は、前記受け付け手段が待機電力の供給の停止指示を受け付けた場合、前記光ディスクドライブに光ディスクが装填されているか否かを判定し、前記光ディスクドライブに光ディスクが装填されていると判定した場合、特定の出力を出すようにしてあることを特徴とする請求項１又は２記載のテレビジョン装置。
【発明の詳細な説明】
【技術分野】
【０００１】
本発明は、光ディスク装置を内蔵したテレビジョン装置に関する。
【背景技術】
【０００２】
光ディスク装置は、電源投入することにより起動されるが、起動が開始してから再生又は録画が可能な状態になるまでに長い時間が掛かる。これは、光ディスク装置では、起動処理が開始してから再生又は録画が可能な状態になるまでの間に、光ディスクの最内周にあるリードイン領域に記録されているブックタイプ（「メディアＩＤ」ともいう。）情報を読み取る処理、当該情報を参照して光ディスクのメディアタイプを判別する処理及び判別結果に応じて光ディスクからインデックス情報を読み取る処理を実行する必要があるからである。ここでインデックス情報とは、光ディスクに記録されている映画、テレビ番組等のコンテンツデータの開始位置、時間等を示す情報であり、録画又は再生を行うための情報である。
【０００３】
ユーザは、光ディスク装置に付属されたリモートコントローラ（以下、「リモコン」という）又は光ディスク装置の操作パネル上に設置された電源ボタンをオンにして光ディスク装置の起動処理を開始させる。ユーザは、通常、光ディスク装置の電源を投入後に速やかに光ディスクの再生又は録画が可能な状態になることを望むため、電源を投入してから再生又録画が可能な状態になるまでの時間が長いと大きなストレスを感じる。そこで、光ディスク装置では、パーソナルコンピュータと同様にスタンバイモードの機能を設けることにより起動時間の短縮化を図っている（例えば、特許文献１参照）。スタンバイモードにしておくと、光ディスク装置の電源ボタンをオフにしても、光ディスク装置内の一部に電力が供給され続けるため電源ボタンがオフになる前の設定が維持され、そのため次に電源ボタンをオンにした場合、その設定に基づいて再生又は録画を速やかに行える。つまり、スタンバイモードにおいて電源ボタンをオフにすると、その次に電源ボタンをオンにした後の起動時間は短縮される。
【０００４】
一方、テレビジョン及び光ディスク装置が一体化された光ディスクユニット内蔵型テレビジョン装置（以下、「テレビジョン装置」という。）が知られている。テレビジョン装置は、テレビジョンの筐体内に光ディスク装置を配置することにより、テレビジョンの機能及び再生、録画、予約再生、予約録画等の光ディスク装置の機能を併せ持つＡＶ（Audio Visual）機器である。
【０００５】
テレビジョン装置は、光ディスク装置と同様にスタンバイモードの機能を有するため、光ディスクユニットの一部又は全部に対して、常時、電力供給がされている。したがって、例えば、テレビ放送を視聴中のユーザがリモコンに設けられた再生ボタンを押下すると、光ディスクユニットは光ディスクの再生を速やかに開始し、テレビジョン装置に再生映像を表示する。
【先行技術文献】
【特許文献】
【０００６】
【特許文献１】特開２００７−２８０５１２号公報
【発明の概要】
【発明が解決しようとする課題】
【０００７】
テレビジョン装置においては、内蔵する光ディスクユニットが使用されていない間も光ディスクユニットの一部又は全部に常時、一定の電力が供給され、待機電力として消費されている。待機電力は、電気機器をスタンバイ状態にしておくために必要な電力である。しかし、待機電力による電気代は安くないため、待機電力を削減することで電気代を節約できる。例えばテレビジョン装置を所有しているが光ディスクの視聴頻度が低く又は視聴時間が短いユーザの場合、光ディスクユニットを使用していない時間はテレビを視聴している時間よりも長いと考えられる。したがって、光ディスクを使用していない間は光ディスクユニットへの電力供給を停止することで電気代を節約できる。
【０００８】
一方、エコロジーの観点、すなわち地球環境への配慮という観点から電気機器の節電が課題になっており、電気機器本体が動作していない間でも消費されている待機電力を削減する取り組みも本格化している。
【０００９】
本発明は斯かる事情に鑑みてなされたものであり、その目的は、テレビジョン装置において、光ディスクユニットが使用されていない間の待機電力を削減できるテレビジョン装置を提供することにある。
【課題を解決するための手段】
【００１０】
本発明のテレビジョン装置は、光ディスクドライブを有する光ディスクユニット及びテレビジョンが同一の筐体内に配置されたテレビジョン装置において、使用に備えて待機している間に消費される待機電力を供給する電力供給手段と、該待機電力の供給の停止指示を受け付ける受け付け手段と、該受け付け手段が受け付けた停止指示に対応する制御信号を与える制御手段とを備え、前記電力供給手段は、前記制御手段から前記制御信号が与えられた場合、前記光ディスクユニットへの待機電力の供給を停止することを特徴とする。
【００１１】
本発明にあっては、待機電力の供給の停止指示を受け付け、受け付けた停止指示に従って光ディスクユニットへの待機電力の供給を停止するようにしてあるため、ユーザは、光ディスクを使用していない間は光ディスクユニットへの電力供給を完全に停止することができ、それによって、テレビジョン装置の待機電力を削減できる。
【００１２】
本発明のテレビジョン装置において、前記受け付け手段は、前記テレビジョンが表示する電源管理に係わる設定画面を用いて前記停止指示を受け付けるようにしてあることを特徴とする。
【００１３】
本発明にあっては、受け付け手段が、テレビジョンが表示する設定画面を用いて停止指示を受け付けるようにしてあるため、ユーザは、簡易に、光ディスクユニットへの電力供給を完全に停止することができ、その結果、テレビジョン装置の待機電力を削減できる。
【００１４】
本発明のテレビジョン装置において、前記制御手段は、前記受け付け手段が待機電力の供給の停止指示を受け付けた場合、前記光ディスクドライブに光ディスクが装填されているか否かを判定し、前記光ディスクドライブに光ディスクが装填されていると判定した場合、前記光ディスクドライブから該光ディスクを排出させるようにしてあることを特徴とする。
【００１５】
本発明にあっては、受け付け手段が待機電力の供給の停止指示を受け付けた際に光ディスクドライブに光ディスクが装填されている場合、光ディスクを光ディスクドライブから排出させるようにしてあるため、テレビジョン装置の待機電力を削減できると共に、待機電力の供給停止に起因する光ディスクへの影響を軽減し、さらに、使用していない光ディスクの取り外し忘れを防止できる。
【００１６】
本発明のテレビジョン装置において、前記制御手段は、前記受け付け手段が待機電力の供給の停止指示を受け付けた場合、前記光ディスクドライブに光ディスクが装填されているか否かを判定し、前記光ディスクドライブに光ディスクが装填されていると判定した場合、特定の出力を出すようにしてあることを特徴とする。
【００１７】
本発明にあっては、受け付け手段が待機電力の供給の停止指示を受け付けた際に光ディスクドライブに光ディスクが装填されている場合、特定の出力（例えば、警告）を出力するようにしてあるため、テレビジョン装置の待機電力を削減できると共に、特定の出力を受けたユーザは光ディスクが装填されたままであることに気づくことにより、使用していない光ディスクの取り外し忘れを防止できる。
【発明の効果】
【００１８】
本発明によれば、テレビジョン装置において光ディスクが使用されていない間は光ディスクユニットへの電力供給を完全に停止するため、テレビジョン装置の待機電力を削減できる。
【図面の簡単な説明】
【００１９】
【図１】テレビジョン装置の概略構成例を示すブロック図である。
【図２】リモコンに設置された操作キーを示す説明図である。
【図３】光ディスクユニットへの電力供給を完全停止するか否かを選択させるシステム設定画面の一例を示す説明図である。
【図４】システム設定画面を介して設定された内容にしたがって光ディスクユニットへの電力供給を制御する処理の流れを示すフローチャートである。
【図５】システム設定画面を介して設定された内容にしたがって光ディスクユニットへの電力供給を制御する処理の流れを示すフローチャートである。
【図６】変形例１における処理の流れを示すフローチャートである。
【図７】変形例２における処理の流れを示すフローチャートである。
【図８】変形例３における処理の流れを示すフローチャートである。
【図９】変形例４における処理の流れを示すフローチャートである。
【図１０】変形例５における処理の流れを示すフローチャートである。
【発明を実施するための形態】
【００２０】
実施の形態１
以下、図面を参照して実施の形態１を具体的に説明する。
図１は、テレビジョン装置の概略構成例を示すブロック図である。
大別すると、テレビジョン装置１は、光ディスク２ｄに対する記録又は再生を行う光ディスクユニット２及びアンテナ３ｍが受信したテレビ放送信号を再生するテレビジョンユニット３を備える。
【００２１】
光ディスクユニット２は、光ディスクユニット制御部２ｂ、光ディスクユニット用電源部２ａ及び光ディスクドライブ２ｃを備える。
光ディスクユニット制御部２ｂは、光ディスク２ｄに対する記録又は再生はもとより光ディスクユニット２の全体動作を制御する役割を有する。
【００２２】
光ディスクドライブ２ｃは、光ディスク２ｄにレーザ光を照射することにより映像信号及び音声信号（以下、これらを併せて「映像信号」と略記する）の記録又は再生を行う。また、光ディスクドライブ２ｃの装填は、例えば、スロットローディング方式で行われる。スロットローディング方式とは、光ディスクドライブに直接ディスクを挿入する方式である。この方式では、光ディスク２ｄをそのまま光ディスクドライブ２ｃの挿入口に差し込むと、光ディスク２ｄが自動的に光ディスクドライブの中に引き込まれ待機状態になる。また、この方式では、光ディスクドライブ２ｃは、ディスク排出コマンドを光ディスクユニット制御部２ｂから受け取ると、装填している光ディスク２ｄを強制的に外部に排出する。
【００２３】
光ディスクユニット用電源部２ａは、光ディスクユニット２内の各機能部に電力を供給する。また、光ディスクユニット用電源部２ａは、後述するテレビユニット制御部３ｂによって制御される。具体的には、光ディスクユニット用電源部２ａは、テレビユニット制御部３ｂからの制御信号を入力し、当該制御信号にしたがって、光ディスクユニット２内の各機能部への電力の供給を完全停止又は開始する。この電力供給の制御の詳細については後述する。図１において、光ディスクユニット用電源部２ａのブロックから引き出されている太線の矢印は、光ディスクユニット２から各機能部への電力供給ラインを示す。
尚、図には示さないが、光ディスクユニット制御部２ｂは、ＣＰＵ（Central Processing Unit）、揮発性メモリ（例えば、ＲＡＭ（Random Access Memory））、不揮発性メモリ（例えば、フラッシュメモリ、ＥＥＰＲＯＭ（Electrically Erasable and Programmable Read Only Memory））等を備える。
【００２４】
テレビジョンユニット３は、テレビユニット制御部３ｂ、テレビユニット用電源部３ａ、チューナ３ｃ、映像入力部３ｄ、映像出力部３ｅ、映像表示部３ｆ、リモコン３ｇ、リモコン受信部３ｈを備える。
【００２５】
図示しないが、テレビユニット制御部３ｂは、ＣＰＵ、揮発性メモリ、不揮発性メモリ等を備える。テレビユニット制御部３ｂは、テレビジョンユニット３の制御を行うだけではなく、テレビジョン装置１の全体動作を制御する役割を有する。例えば電源制御に関しては、テレビユニット制御部３ｂは、テレビユニット用電源部３ａ及び光ディスクユニット用電源部２ａの両方を制御する。
【００２６】
テレビユニット用電源部３ａは、テレビジョンユニット３内の各機能部へ電力を供給する。テレビユニット用電源部３ａのブロックから引き出されている太線の矢印は、テレビユニット用電源部３ａから各機能部への電力供給ラインを示す。
【００２７】
映像表示部３ｆは、例えば液晶ディスプレイ、ブラウン管等であって、光ディスクドライブ２ｃが光ディスク２ｄから読み取った映像信号又はアンテナ３ｍが受信した放送波から得られた映像信号を映像出力部３ｅから受け取り、当該映像信号に対応する映像を表示する。
アンテナ３ｍは、放送波を受信し、アンテナ端子３ｎを介してチューナ３ｃに出力する。
チューナ３ｃは、アンテナ３ｍが受信した放送波から映像信号を生成し、映像入力部３ｄへ出力する。放送としては、例えば、地上アナログ放送、地上デジタル放送、ＢＳ放送、ＣＳ放送等がある。
【００２８】
テレビユニット制御部３ｂは、光ディスクユニット制御部２ｂを介して光ディスクドライブ２ｃから得られた映像信号又は映像入力部３ｄから得られた映像信号を映像出力部３ｅへ送る。
テレビユニット制御部３ｂは、光ディスク２ｄに映像信号を記録するときは、映像入力部３ｄから得られた映像信号を、光ディスクユニット制御部２ｂを介して光ディスクドライブ２ｃへ送る。そして光ディスクドライブ２ｃは、受け取った映像信号を光ディスク２ｄに記録する。
【００２９】
テレビユニット制御部３ｂは、映像表示部３ｆに映像を表示しつつ映像信号を光ディスク２ｄに記録する場合、映像入力部３ｄから得られた映像信号を映像出力部３ｅへ送ると共に光ディスクユニット制御部２ｂを介して光ディスクドライブ２ｃへ送る。ここで、テレビユニット制御部３ｂは、リモコン３ｇから送信された各種操作信号を、リモコン受信部３ｈを介して受け取り、受け取った操作信号に応じた処理を実行する。
【００３０】
映像入力部３ｄは、チューナ３ｃから得られた映像信号を処理してテレビユニット制御部３ｂへ送る。
映像出力部３ｅは、テレビユニット制御部３ｂから得られた映像信号を処理して、映像表示部３ｆに送る。
【００３１】
図２は、リモコンに設置された操作キーを示す説明図である。
リモコン３ｇには、例えば、電源キー４ａ、数字キー群４ｂ、メニューキー４ｃ、光ディスクの操作に関する操作キー群４ｄ等が設けられている。
電源キー４ａは、テレビジョン装置１の電源をオン状態からオフ状態に又はオフ状態からオン状態に切り替えるための操作キーである。視聴者は電源キー４ａを押下することによりテレビジョン装置１の電源をオン状態及びオフ状態にすることができる。
【００３２】
数字キー群４ｂは、「０」から「１２」までの数字入力用キーであって、主に放送波のチャンネルを選択するために用いられる操作キーである。
メニューキー４ｃは、テレビジョン装置１に対して各種の設定をメニュー形式で入力させるシステム設定画面を映像表示部３ｆに表示させるための操作キーである。メニューキー４ｃがユーザにより押下されると、映像表示部３ｆにシステム設定画面が表示される。システム設定画面は、通常、階層構造になっているため、ユーザは、リモコン３ｇを操作してシステム設定画面を次々と切り替えながら、ハードウェア、ネットワーク、操作方法、画面の表示方式、音声の出力方式等に関して所望のシステム設定を行うことができる。
操作キー群４ｄは、光ディスクユニット２の動作（再生、停止、録画等）の選択を受け付ける操作キーである。
【００３３】
例えば上記のキーのいずれかがユーザによって押下されると、リモコン３ｇは、押下されたキーに対応する操作信号をリモコン受信部３ｈに送信する。リモコン受信部３ｈは、検出した操作信号をテレビユニット制御部３ｂに送る。テレビユニット制御部３ｂは、受け取った操作信号に応じてテレビジョンユニット３内の各機能部を制御し、又は受け取った操作信号に対応する操作コマンドを光ディスクユニット制御部２ｂに送る。光ディスクユニット制御部２ｂは、受け取った操作コマンドに基づいて光ディスクユニット２内の各機能部を制御する。
【００３４】
数字キー群４ｂがチャネル指定等を含むテレビ放送視聴操作を受け付けた場合、テレビジョンユニット３は、その操作にしたがって、指定されたチャンネルの番組の映像信号を再生して映像表示部３ｆに送り、映像表示部３ｆはその番組を表示する。
【００３５】
光ディスクドライブ２ｃに光ディスク２ｄが装填された後に、リモコン３ｇの再生キーが押下されると、リモコン３ｇから再生指示信号がリモコン受信部３ｈに送信される。再生指示信号を検出したリモコン受信部３ｈは、テレビユニット制御部３ｂに再生指示信号を送る。再生指示信号を受け取ったテレビユニット制御部３ｂは、光ディスクユニット制御部２ｂに再生指示信号に対応する再生指示コマンドを送る。再生指示コマンドを受け取った光ディスクユニット制御部２ｂは、光ディスクドライブ２ｃを制御して、光ディスク２ｄに記録されている情報を読み取る。光ディスクユニット制御部２ｂは、光ディスクドライブ２ｃが読み取った映像信号を、テレビユニット制御部３ｂ及び映像出力部３ｅを介して映像表示部３ｆに送り、映像表示部３ｆは、受け取った映像信号に対応する映像を表示する。
【００３６】
光ディスクドライブ２ｃに光ディスク２ｄが装填された後に、リモコン３ｇの記録キーが押下されると、リモコン３ｇから記録指示信号がリモコン受信部３ｈに送信される。記録指示信号を検出したリモコン受信部３ｈは、テレビユニット制御部３ｂに記録指示信号を送る。記録指示信号を受け取ったテレビユニット制御部３ｂは、光ディスクユニット制御部２ｂに記録指示信号に対応する記録指示コマンドを送る。記録指示コマンドを受け取った光ディスクユニット制御部２ｂは、光ディスクドライブ２ｃを制御して、光ディスク２ｄに対して記録処理を行う。テレビ放送信号の映像および音声を記録する場合、光ディスクユニット制御部２ｂは、光ディスクドライブ２ｃを制御して、テレビユニット制御部３ｂから受け取った映像信号を光ディスク２ｄに記録する。
【００３７】
ユーザがテレビジョン装置１の電源を投入するためにリモコン３ｇの電源キー４ａを押下すると、リモコン３ｇからテレビ起動信号がリモコン受信部３ｈに送信される。テレビ起動信号を検出したリモコン受信部３ｈは、テレビユニット制御部３ｂにテレビ起動信号を送る。テレビ起動信号を受け取ったテレビユニット制御部３ｂは、内蔵する不揮発性メモリに記憶されているプログラムにしたがってテレビ起動処理を実行する一方、光ディスクユニット制御部２ｂにテレビ起動信号を送る。
【００３８】
本実施の形態では、テレビ起動信号を受け取った光ディスクユニット制御部２ｂは、以下に述べるように、ユーザがシステム設定画面を介して予め設定した電源管理に係わる設定内容に基づいて光ディスクユニット用電源部２ａを制御し、光ディスクユニット２への電力供給を行うか否かを決定する。
【００３９】
図３は、光ディスクユニットへの電力供給を完全停止するか否かを選択させるシステム設定画面の一例を示す説明図である。
本システム設定画面は、図２に示すリモコン３ｇに設けられたメニューキー４ｃを押下することによって映像表示部３ｆに表示される。
図３において、ユーザがリモコン３ｇを操作してシステム設定画面中の「はい」を選択すると、テレビユニット制御部３ｂには、光ディスクユニット２への電力供給を完全停止する設定がなされる。その場合、テレビユニット制御部３ｂは、光ディスクユニット制御部２ｂに対して、光ディスクユニット２への電力供給を完全停止させる電力供給完全停止コマンドを送る。電力供給完全停止コマンドを受け取った光ディスクユニット制御部２ｂは、光ディスクユニット用電源部２ａを制御して、光ディスクユニット２への電力供給を完全停止させる。
【００４０】
図４は、システム設定画面を介して設定された内容にしたがって光ディスクユニットへの電力供給を制御する処理の流れを示すフローチャートである。
具体的には、本フローチャートは、ユーザがリモコン３ｇの電源キー４ａを押下してテレビジョン装置１の電源を投入した後、すなわち電源をオフ状態からオン状態にした後にシステム設定画面を介して光ディスクユニット２への電力供給を制御する処理の流れを示す。
【００４１】
ユーザがテレビジョン装置１の電源を投入するためにリモコン３ｇの電源キー４ａを押下すると、リモコン３ｇからテレビ起動信号がリモコン受信部３ｈに送信される。テレビ起動信号を検出したリモコン受信部３ｈは、テレビユニット制御部３ｂにテレビ起動信号を送る。
テレビ起動信号を受け取ったテレビユニット制御部３ｂは、内蔵する不揮発性メモリに記憶されているプログラムにしたがってテレビジョン装置１を電源オン状態にする（Ｓ１０）。
【００４２】
次いで、ユーザがリモコン３ｇのメニューキー４ｃを押下すると、リモコン３ｇからシステム設定画面表示信号がリモコン受信部３ｈに送信される。システム設定画面表示信号を検出したリモコン受信部３ｈは、テレビユニット制御部３ｂにシステム設定画面表示信号を送る。
システム設定画面表示信号を受け取ったテレビユニット制御部３ｂは、内蔵する不揮発性メモリに記憶されているプログラムにしたがって映像表示部３ｆにシステム設定画面を表示させる（Ｓ１１）。
【００４３】
次いで、ユーザは、リモコン３ｇを操作してシステム設定画面を必要に応じて切り替えて、図３に示したシステム設定画面を映像表示部３ｆに表示させ、光ディスクユニット２への電力供給を行うか否かを選択する。ユーザによる選択を受けて、テレビユニット制御部３ｂは、光ディスクユニット２への電力供給を行うか否かを設定する（Ｓ１２）。具体的には、テレビユニット制御部３ｂは、内蔵する不揮発性メモリにユーザが選択した内容を記憶させる。
【００４４】
テレビユニット制御部３ｂは、上記設定に基づいて、光ディスクユニット２への電力供給を行うか否かの判定を行う（Ｓ１３）。光ディスクユニット２への電力供給を行うと判定した場合（Ｓ１３：ＹＥＳ）、テレビユニット制御部３ｂは、光ディスクユニット制御部２ｂに電力供給開始信号を送ることによって、光ディスクユニット用電源部２ａに光ディスクユニット２への電力供給を開始させる（Ｓ１４）。これに対して、光ディスクユニット２への電力供給を行わないと判定した場合（Ｓ１３：ＮＯ）、テレビユニット制御部３ｂは、光ディスクユニット用電源部２ａに電力供給開始信号を送らない。そのため、光ディスクユニット用電源部２ａは、光ディスクユニット２への電力供給を行わない（Ｓ１５）。
ステップＳ１４にて光ディスクユニット２への電力供給が開始された後に、ユーザがリモコン３ｇの電源キー４ａを再び押下して電源オフにした場合、テレビユニット制御部３ｂが光ディスクユニット用電源部２ａを制御して光ディスクユニット２への電力供給を完全停止させ、更に、次に電源オンにしたときに光ディスクユニット２への電力供給が完全停止されたままの状態にしてもよい。
【００４５】
実施の形態２
実施の形態２では、光ディスクユニット２へ電力供給がされている状態において、システム設定画面での設定に応じて光ディスクユニット２への電力供給を制御する。実施の形態２において、テレビジョン装置１は、ユーザが光ディスク２ｄを使用して再生、記録等を行った後の状態であって光ディスクユニット２への電力供給がされている状態である点で実施の形態１とは異なる。
テレビジョン装置１の構成（図１参照）、リモコン３ｇの構成（図２参照）、システム設定画面（図３参照）については、実施の形態１で説明した内容と略同一であるためその説明は省略する。
【００４６】
図５は、システム設定画面を介して設定された内容にしたがって光ディスクユニットへの電力供給を制御する処理の流れを示すフローチャートである。
ユーザがリモコン３ｇのメニューキー４ｃを押下すると、リモコン３ｇからシステム設定画面表示信号がリモコン受信部３ｈに送信される。システム設定画面表示信号を検出したリモコン受信部３ｈは、テレビユニット制御部３ｂにシステム設定画面表示信号を送る。
システム設定画面表示信号を受け取ったテレビユニット制御部３ｂは、内蔵する不揮発性メモリに記憶されているプログラムにしたがって映像表示部３ｆにシステム設定画面を表示させる（Ｓ２１）。
【００４７】
次いで、ユーザは、リモコン３ｇを操作してシステム設定画面を必要に応じて切り替えて、図３に示したシステム設定画面を映像表示部３ｆに表示させ、光ディスクユニット２への電力供給を行うか否かを選択する。ユーザによる選択を受けて、テレビユニット制御部３ｂは、光ディスクユニット２への電力供給を行うか否かを設定する（Ｓ２２）。具体的には、テレビユニット制御部３ｂは、内蔵する不揮発性メモリにユーザが選択した内容を記憶させる。
【００４８】
テレビユニット制御部３ｂは、上記設定に基づいて、光ディスクユニット２への電力供給を行うか否かの判定を行う（Ｓ２３）。光ディスクユニット２への電力供給を行うと判定した場合（Ｓ２３：ＹＥＳ）、テレビユニット制御部３ｂは、光ディスクユニット用電源部２ａに光ディスクユニット２への電力供給を継続して行わせる。これに対して、光ディスクユニット２への電力供給を行わないと判定した場合（Ｓ２３：ＮＯ）、テレビユニット制御部３ｂは、光ディスクドライブ２ｃに光ディスク２ｄが装填されているか否かを判定する（Ｓ２４）。光ディスク２ｄが装填されていると判定された場合（Ｓ２４：ＹＥＳ）、テレビユニット制御部３ｂは、光ディスクユニット制御部２ｂに対して、光ディスク２ｄを光ディスクドライブ２ｃから強制排出させるためのディスク排出コマンドを送り、光ディスク２ｄが装填されていないと判定された場合（Ｓ２４：ＮＯ）、処理を終了する。
【００４９】
ディスク排出コマンドを受け取った光ディスクユニット制御部２ｂは、光ディスクドライブ２ｃを制御して、光ディスク２ｄを光ディスクドライブ２ｃから強制的に排出させる（Ｓ２５）。ここで、光ディスクユニット制御部２ｂは、光ディスク２ｄを光ディスクドライブ２ｃから排出させる代わりに、テレビジョン装置１本体の前面に設けられているインジケータを点灯させ又は音を発することにより、ユーザに対して光ディスクドライブ２ｃに光ディスク２ｄが装填されていることを警告してもよい。また、警告の方法としては、例えば「光ディスクが入っていますが光ディスクユニットの電源を完全に切ってもよいですか？」の確認メッセージをシステム設定画面に表示させる方法であってもよい。
【００５０】
次いでテレビユニット制御部３ｂは、光ディスクユニット用電源部２ａに電力供給完全停止信号を送り、光ディスクユニット用電源部２ａに光ディスクユニットへの電力供給を完全停止させる（Ｓ２６）。さらにテレビユニット制御部３ｂは、システム設定画面において光ディスクユニット関連の設定を非アクティブにする（Ｓ２７）。
実施の形態２では、光ディスクユニット２への電力供給の完全停止指示を受け付けた際に光ディスクドライブ２ｃに光ディスク２ｄが装填されている場合、光ディスク２ｄを光ディスクドライブ２ｃから強制排出させる処理又はユーザに警告を発する処理を行う。したがって、実施の形態２によれば、電力供給の完全停止に起因する光ディスク２ｄへの影響を軽減し、さらに、使用していない光ディスク２ｄの取り外し忘れを防止できる。
【００５１】
尚、実施の形態１及び２では、光ディスクユニット２に電力を供給する光ディスクユニット用電源部２ａと、テレビジョンユニット３に電力を供給するテレビユニット用電源部３ａとを設けたが、１個の電源部がテレビジョン装置１に電力を供給する形態であってもよい。その場合、当該電源部は、光ディスクユニット２に電力を供給する部分と、テレビジョンユニット３に電力を供給する部分とに分かれており、各機能部分は独立して電力を供給する形態となる。また、実施の形態１及び２では、光ディスクユニット制御部２ｂと、テレビユニット制御部３ｂとを設けたが、１個の制御部がテレビジョン装置１の全体を制御する形態であってもよい。
【００５２】
変形例１
変形例１では、光ディスクユニット２へ電力供給がされていない状態において、システム設定画面での設定に応じて光ディスクユニット２への電力供給を制御する。変形例１において、テレビジョン装置１は、ユーザが光ディスク２ｄを使用して再生、記録等を行った後の状態であって光ディスクユニット２への電力供給がされていない状態である点で実施の形態１及び実施の形態２とは異なる。
テレビジョン装置１の構成（図１参照）、リモコン３ｇの構成（図２参照）、システム設定画面（図３参照）については、実施の形態１で説明した内容と略同一であるためその説明は省略する。
【００５３】
図６は、変形例１における処理の流れを示すフローチャートである。
ユーザがリモコン３ｇのメニューキー４ｃを押下すると、リモコン３ｇからシステム設定画面表示信号がリモコン受信部３ｈに送信される。システム設定画面表示信号を検出したリモコン受信部３ｈは、テレビユニット制御部３ｂにシステム設定画面表示信号を送る。
システム設定画面表示信号を受け取ったテレビユニット制御部３ｂは、内蔵する不揮発性メモリに記憶されているプログラムにしたがって映像表示部３ｆにシステム設定画面を表示させる（Ｓ３１）。
【００５４】
次いで、ユーザは、リモコン３ｇを操作してシステム設定画面を必要に応じて切り替えて、図３に示したシステム設定画面を映像表示部３ｆに表示させ、光ディスクユニット２への電力供給を行うか否かを選択する。ユーザによる選択を受けて、テレビユニット制御部３ｂは、光ディスクユニット２への電力供給を行うか否かを設定する（Ｓ３２）。具体的には、テレビユニット制御部３ｂは、内蔵する不揮発性メモリにユーザが選択した内容を記憶させる。
【００５５】
テレビユニット制御部３ｂは、上記設定に基づいて、光ディスクユニット２への電力供給を行うか否かの判定を行う（Ｓ３３）。光ディスクユニット２への電力供給を行うと判定した場合（Ｓ３３：ＹＥＳ）、テレビユニット制御部３ｂは、光ディスクユニット用電源部２ａに電力供給開始信号を送ることによって、光ディスクユニット用電源部２ａに光ディスクユニット２への電力供給を開始させる（Ｓ３４）。これに対して、光ディスクユニット２への電力供給を行わないと判定した場合（Ｓ３３：ＮＯ）、テレビユニット制御部３ｂは、光ディスクユニット用電源部２ａに電力供給開始信号を送らない。そのため、光ディスクユニット用電源部２ａは、光ディスクユニット２への電力供給を行わない。
次いで、テレビユニット制御部３ｂは、システム設定画面において光ディスクユニット２関連の設定をアクティブにする（Ｓ３５）。その結果、ユーザは、システム設定画面において光ディスクユニット２関連の設定を行うことができるようになる。
【００５６】
変形例２
実施の形態１及び２並びに変形例１は、図３に示すシステム設定画面を介しての光ディスクユニット２への電力供給の制御に係る形態である。この形態に限らず、リモコン３ｇの電源キー４ａを長押しすること、すなわち、基準時間以上押し続けることによって、光ディスクユニット２への電力供給を完全停止させる形態であってもよい。ここで、テレビジョン装置１は、最初は電源オン状態であるとする。
【００５７】
図７は、変形例２における処理の流れを示すフローチャートである。
テレビユニット制御部３ｂは、リモコン３ｇからテレビ起動信号を送信されたか否かを判定し（Ｓ４１）、送信されていない場合には（Ｓ４１：ＮＯ）、送信されるまで待機する。これに対して、テレビ起動信号が送信された場合には（Ｓ４１：ＹＥＳ）、テレビユニット制御部３ｂは、電源キー４ａが押された時間を計測し（Ｓ４２）、その計測時間が基準時間（例えば１秒）よりも長いか否かを判定する（Ｓ４３）。電源キー４ａが押された時間が基準時間よりも長い場合（Ｓ４３：ＹＥＳ）、テレビユニット制御部３ｂは、光ディスクユニット用電源部２ａを制御して、光ディスクユニット２への電力供給を完全停止させる（Ｓ４４）。これに対して、計測時間が基準時間よりも短い場合には（Ｓ４３：ＮＯ）、テレビユニット制御部３ｂは、テレビジョン装置１の電源をオフ状態にする（Ｓ４５）。
変形例２によれば、電源キー４ａの押し方を変えるという単純な行為で光ディスクユニット２への電力供給を完全停止できるため、テレビジョン装置１の待機電力を簡単に削減できる。
【００５８】
変形例３
変形例３では、光ディスクドライブ２ｃに光ディスク２ｄが装填されていない間は、光ディスクユニット２への電力供給を一律に完全停止する処理を行う。ここで、テレビジョン装置１は、最初は電源がオン状態であるとする。
【００５９】
図８は、変形例３における処理の流れを示すフローチャートである。
テレビユニット制御部３ｂは、光ディスクドライブ２ｃに光ディスク２ｄが装填されているか否かを光ディスクユニット制御部２ｂからの情報に基づき判定する（Ｓ５１）。光ディスクドライブ２ｃに光ディスク２ｄが装填されていないと判定した場合には（Ｓ５１：ＮＯ）、テレビユニット制御部３ｂは、光ディスクユニット用電源部２ａを制御して、光ディスクユニット２への電力供給を完全停止させる（Ｓ５２）。これに対して、光ディスク２ｄが装填されていると判定した場合には（Ｓ５１：ＹＥＳ）、テレビユニット制御部３ｂは、光ディスクユニット２への電力供給を継続する。
変形例３によれば、光ディスク２ｄが装填されていない場合には光ディスクユニット２への電力供給を完全停止するため、テレビジョン装置１の待機電力を削減できる。
【００６０】
変形例４
変形例４では、テレビ放送の視聴時間を計測し、計測時間が所定時間よりも長い場合には光ディスクユニット２への電力供給を完全停止する処理を行う。
【００６１】
図９は、変形例４における処理の流れを示すフローチャートである。
テレビユニット制御部３ｂは、テレビ放送の視聴が開始されてからの視聴時間を計測し（Ｓ６１）、その計測時間が所定時間（例えば３時間）よりも長いか否かを判定する（Ｓ６２）。計測時間が所定時間よりも長い場合には（Ｓ６２：ＹＥＳ）、テレビユニット制御部３ｂは、光ディスクユニット用電源部２ａを制御して、光ディスクユニット２への電力供給を完全停止させる（Ｓ６３）。これに対して、計測時間が所定時間よりも長くない場合には（Ｓ６２：ＮＯ）、所定時間が経過するまで待機する。
変形例４によれば、テレビ放送の視聴時間が所定時間よりも長い場合、光ディスクユニット２への電力供給を完全停止するため、光ディスク２ｄの利用時間が短い状況においてテレビジョン装置１の待機電力を削減できる。
【００６２】
変形例５
変形例５では、光ディスクドライブ２ｃに光ディスク２ｄが装填されているか否かに応じて光ディスクユニット２への電力供給を完全停止するタイミングを異ならせる処理を行う。ここで、最初、光ディスク２ｄは使用されていないものとする。
【００６３】
図１０は、変形例５における処理の流れを示すフローチャートである。
テレビユニット制御部３ｂは、光ディスクドライブ２ｃに光ディスク２ｄが装填されたか否かを判定し（Ｓ７１）、装填された場合には（Ｓ７１：ＹＥＳ）、ステップＳ７２の処理に進み、装填されてからの時間を計測し（Ｓ７２）、ステップＳ７３の処理に進む。一方、装填されていない場合には（Ｓ７１：ＮＯ）、光ディスク２ｄが光ディスクドライブ２ｃから取り出されてからの時間を計測し（Ｓ７４）、ステップＳ７５の処理に進む。
テレビユニット制御部３ｂは、ステップＳ７２で計測した時間が第１の所定時間よりも長いか否かを判定し（Ｓ７３）、第１の所定時間よりも長い場合には（Ｓ７３：ＹＥＳ）、光ディスクユニット用電源部２ａを制御して、光ディスクユニット２への電力供給を完全停止させ（Ｓ７６）、第１の所定時間よりも短い場合には（Ｓ７３：ＮＯ）、第１の所定時間が経過するまで待機する。一方、テレビユニット制御部３ｂは、ステップＳ７４で計測した時間が第２の所定時間よりも長いか否かを判定し（Ｓ７５）、第２の所定時間よりも長い場合には（Ｓ７５：ＹＥＳ）、光ディスクユニット用電源部２ａを制御して、光ディスクユニット２への電力供給を完全停止させ（Ｓ７６）、第２の所定時間よりも短い場合には（Ｓ７５：ＮＯ）、第２の所定時間が経過するまで待機する。
【００６４】
ここで、第１の所定時間は第２の所定時間よりも長く設定する。つまり、光ディスクドライブ２ｃに光ディスク２ｄが装填されている場合には、近いうちに光ディスク２ｄが使用される可能性が高いと推測できるため、電力供給を完全停止するのを遅らせる。これに対して、光ディスクドライブ２ｃに光ディスク２ｄが装填されていない場合には、早めに電力供給を完全停止する。これは、しばらくは光ディスク２ｄが使用される可能性が低いと推測できるため、早めに電力供給を完全停止した方が待機電力を削減する目的に適うからである。そこで、例えば、光ディスクドライブ２ｃに光ディスク２ｄが装填されている場合には２時間後に電力供給を完全停止させ、光ディスク２ｄが装填されていない場合には１０分後に電力供給を完全停止する制御を行うことにしてもよい。
変形例５によれば、光ディスク２ｄの有無及び装填時間に応じてテレビジョン装置１の待機電力を削減できる。
【００６５】
尚、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６６】
１  テレビジョン装置
２  光ディスクユニット
２ａ  光ディスクユニット用電源部
２ｂ  光ディスクユニット制御部
２ｃ  光ディスクドライブ
２ｄ  光ディスク
３  テレビジョンユニット
３ａ  テレビユニット用電源部
３ｂ  テレビユニット制御部
３ｃ  チューナ
３ｄ  映像入力部
３ｅ  映像出力部
３ｆ  映像表示部
３ｇ  リモコン
３ｈ  リモコン受信部
３ｍ  アンテナ
３ｎ  アンテナ端子
【図１】
2011239238.tif 000003
【図２】
2011239238.tif 000004
【図３】
2011239238.tif 000005
【図４】
2011239238.tif 000006
【図５】
2011239238.tif 000007
【図６】
2011239238.tif 000008
【図７】
2011239238.tif 000009
【図８】
2011239238.tif 000010
【図９】
2011239238.tif 000011
【図１０】
2011239238.tif 000012